(57)【特許請求の範囲】
【請求項１】
温水収容部（１）を備えており、
前記温水収容部は、扁平な略袋状とされることによって、その閉じた内部空間内に温水を収容できる構成となっており、かつ、前記温水収容部は、その上面に新生児を載せることができるようになっており、
前記温水収容部の上面の少なくとも一部は、透湿部（１１）となっており、
前記透湿部は、微細孔を有する疎水性膜によって構成されており、
これによって、前記透湿部は、前記温水収容部に収容された状態における前記温水の通過を阻止するとともに、前記微細孔を介して、前記温水収容部の上面側において、前記温水から生じる水蒸気の通過を許す構成となっている
ことを特徴とする新生児運搬具。
【請求項２】
前記温水収容部は、上部シート（１１）と下部シート（１２）とを備えており、かつ、両シート（１１）、（１２）の間に、前記内部空間が備えられており、
前記上部シートと前記下部シートの周縁どうしは、水密となるように接合されることによって、前記内部空間の内部に、前記温水が収容可能とされており、
前記上部シートの少なくとも一部は、前記微細孔を有する疎水性膜によって構成された前記透湿部となっており、
前記下部シートは、水密な材質により構成されている
ことを特徴とする、請求項１に記載の新生児運搬具。
【請求項３】
さらに加温部（２）を備え、
前記加温部は、前記温水収容部の内部に収容された前記温水を加温する構成となっている
ことを特徴とする、請求項１又は２に記載の新生児運搬具。
【請求項４】
前記加温部は、前記温水収容部の表面に取り付けられることにより、前記温水収容部の内部に収容された前記温水に対して熱を伝える構成となっている
ことを特徴とする、請求項３に記載の新生児運搬具。
【請求項５】
さらに、酸素供給部（３）を備え、
前記酸素供給部は、前記温水収容部の内部に酸素を供給する構成となっており、
前記透湿部は、前記酸素の通過を許す構成となっている
ことを特徴とする、請求項１〜４のいずれか１項に記載の新生児運搬具。
【請求項６】
前記酸素供給部は、多孔質部材（３１）と酸素ボンベ（３２）とを備えており、
前記多孔質部材は、前記温水収容部の内部に配置されており、
前記酸素ボンベは、前記多孔質部材に酸素を陽圧で供給することによって、前記温水収容部の内部に酸素を供給する構成となっている
ことを特徴とする、請求項５に記載の新生児運搬具。
【請求項７】
前記多孔質部材は、前記温水収容部に新生児を載せた状態において、新生児の頭部の一部を囲うように湾曲して配置されている
請求項６に記載の新生児運搬具。
【発明の詳細な説明】
【技術分野】
【０００１】
本発明は、新生児を運搬するための道具に関するものである。
【背景技術】
【０００２】
緊急な分娩や、転院などの必要のために、新生児を救急車などで搬送しなければならない場合がある。このような場合には、従来から、断熱性を有する救急シートが用いられている。この救急シートで新生児を包むことにより、新生児の体温低下を防いでいる。
【０００３】
しかしながら、救急シートを用いたとしても、新生児の身体が外気に触れることによって、新生児の身体が乾燥してしまう。このため、乾燥によって（つまり気化熱によって）新生児の体温が低下することは避けがたいという状況にあった。
【発明の開示】
【発明が解決しようとする課題】
【０００４】
本発明は、このような状況に鑑みてなされたもので、新生児の乾燥を防ぐことによってその保温を図ることができる新生児運搬具を提供しようとするものである。
【課題を解決するための手段】
【０００５】
本発明に係る新生児運搬具は、温水収容部を備えている。前記温水収容部は、扁平な略袋状とされて、内部に温水を収容できる構成となっている。前記温水収容部の上面の少なくとも一部は、透湿部となっている。前記透湿部は、微細孔を備えている。前記透湿部は、前記温水収容部に収容された状態における前記温水の通過を阻止するとともに、前記微細孔を介して、前記温水から生じる水蒸気の通過を許す構成となっている。温水収容部は、製造時又は販売時において温水を収容している必要はなく、使用時に必要に応じて温水を収容していればよい。
【０００６】
前記透湿部を、前記微細孔を有する疎水性膜によって構成することができる。
【０００７】
前記温水収容部は、上部シートと下部シートとを備えることができる。前記上部シートと前記下部シートの周縁どうしは、水密となるように接合されていてもよい。前記上部シートの少なくとも一部を、前記透湿部としてもよい。前記透湿部は、前記微細孔を有する疎水性膜によって構成されていてもよい。前記下部シートは、水密な材質により構成されていてもよい。
【０００８】
本発明に係る新生児運搬具は、さらに加温部を備えることができる。前記加温部は、前記温水収容部の内部に収容された前記温水を加温する構成となっていてもよい。
【０００９】
前記加温部は、前記温水収容部の表面に取り付けられることにより、前記温水収容部の内部に収容された前記温水に対して熱を伝える構成となっていてもよい。
【００１０】
本発明に係る新生児運搬具は、さらに、酸素供給部を備えることができる。前記酸素供給部は、前記温水収容部の内部に酸素を供給する構成となっていてもよい。前記透湿部は、前記酸素の通過を許す構成となっていてもよい。
【００１１】
前記酸素供給部は、多孔質部材と酸素ボンベとを備えることができる。前記多孔質部材は、前記温水収容部の内部に配置されてもよい。前記酸素ボンベは、前記多孔質部材に酸素を陽圧で供給することによって、前記温水収容部の内部に酸素を供給する構成となっていてもよい。
【発明の効果】
【００１２】
本発明に係る新生児運搬具によれば、新生児の乾燥を防ぐことによってその保温を図ることができる新生児運搬具を提供することが可能となる。
【発明を実施するための最良の形態】
【００１３】
（実施形態の構成）
以下、本発明の一実施形態に係る新生児運搬具を、添付の図面を参照して説明する。本実施形態に係る新生児運搬具は、温水収容部１と、加湿部２と、酸素供給部３とを備えている（図１及び図２参照）。なお、添付の図面においては、理解を容易とするため、部材の厚さを実際より大きく記載している。
【００１４】
温水収容部１は、平面視して略正方形状ないし矩形状となっている。また、温水収容部１は、扁平な略袋状とされて、内部に温水を収容できる構成となっている。具体的には、本実施形態における温水収容部１は、ともに略正方形状の上部シート１１と下部シート１２とを備えている。本実施形態にける上部シート１１と下部シート１２とは、ともに、対象者の身体を包めるだけの柔軟性を有している。
【００１５】
上部シート１１の周縁１１１と下部シート１２の周縁１２１とは、水密となるように接合されている（図２参照）。つまり、本実施形態の温水収容部１は、上部シート１１の周縁１１１と下部シート１２の周縁１２１とを接合することによって、水密な袋状に構成されている。
【００１６】
本実施形態における上部シート１１は、ほぼ全面にわたって微細孔（図示せず）を有する疎水性膜によって構成されている。すなわち、本実施形態では、上部シート１１の全体が、本発明における透湿部となっている。また、これによって、温水収容部１の上面の少なくとも一部が透湿部となっている。このような微細孔付きの疎水性膜は、市販品として入手できる。本実施形態では、上部シート１１の内面に、水及び空気を透過させる不織布などの補強材を取り付けておくことが、上部シート１１を補強するために好ましい。もちろん、補強剤は必須ではない。
【００１７】
本実施形態の上部シート（すなわち透湿部）１１は、微細孔を有することによって、温水収容部１に収容された状態における温水の通過を阻止することができるようになっている。また、上部シート１１は、微細孔を介して、温水から生じる水蒸気の通過を許すことができるようになっている。さらに、上部シート１１は、酸素の通過も許す構成となっている。つまり上部シート１１は、空気は透過させるが水は透過させない構成となっている。
【００１８】
下部シート１２は、水密な材質により構成されている。水密な材質とは、温水収容部１に温水を収容した状態で、温水が実質的に漏れ出ないものをいい、例えば、防水性ポリエチレンである。
【００１９】
温水収容部１は、その内部に温水を供給したり、その内部の温水を除去したりするための、閉鎖可能な開口部（図示せず）を備えている。
【００２０】
加温部２は、発熱体２１とコントローラ２２とを備えている。発熱体２１は、シート状に形成されている。発熱体２１の上面は、この実施形態では、温水収容部１の下部シート１２の下面に、これに接した状態で取り付けられている。発熱体２１の内部には、例えばニクロム線（図示せず）が配置されており、抵抗加熱によって熱を発するようになっている。発熱体２１の発熱温度は、本実施形態では、例えば３７℃〜３９℃前後に設定することが好ましい。
【００２１】
コントローラ２２は、発熱体２１への電源を供給するとともに、過熱を防止するものである。発熱体２１を動作させる電力は、例えば、コントローラ２２に備えた電池により供給できる。過熱の防止は、例えばサーモスタットや温度センサを用いた発熱量制御により実現できる。コントローラ２２は、発熱体２１や下部シート１２に取り付けられていても良い。
【００２２】
本実施形態では、加温部２が、温水収容部１の表面に取り付けられることにより、前記温水収容部１の内部に収容された温水に対して熱を伝える構成となっている。また、本実施形態では、このような構成により、加温部２が、温水収容部１の内部に収容された温水を加温することのできる構成となっている。
【００２３】
酸素供給部３は、温水収容部１の内部に収容された温水の内部に酸素を供給する構成となっている。具体的には、本実施形態の酸素供給部は、多孔質部材３１と酸素ボンベ３２とを備えている。
【００２４】
多孔質部材３１は、温水収容部１の内部に配置されている。この実施形態の多孔質部材３１は、管状に構成されており、一端側が開放され、他端側が閉鎖されている。これにより、多孔質部材３１は、一端側から内部に供給された酸素を、その長さ方向にわたる範囲で、外部に供給できるようになっている。多孔質部材３１は、図１に示されるように、対象者の頭部近傍に対応する位置に、頭部の一部を囲うように湾曲して配置されている。ただし、多孔質部材３１を用いる必要はなく、酸素ボンベ３２からの配管の先端を温水収容部１の内部に配置することによって、その内部に酸素を供給する構成であっても良い。
【００２５】
酸素ボンベ３２は、多孔質部材３１の一端側から、多孔質部材３１の内部に、酸素を陽圧で供給することができるようになっている。これによって、酸素ボンベ３２は、温水収容部１の内部に（より具体的には、そこに収容された温水の内部に）酸素を供給する構成となっている。酸素ボンベ３２としては、携帯用の小型のものが好ましい。この場合は、酸素ボンベ３２を、温水収容部１の下部シート１２の下面に取り付けてもよい。酸素ボンベ３２からの酸素の供給量は、例えば、５〜７リットル／分程度でよい。
【００２６】
なお、多孔質部材３１としては、両端が閉鎖され、中間部から酸素を供給する構成であっても良いことは当然である。要するに、多孔質部材３１としては、酸素ボンベ３２から供給される酸素を温水収容部１の内部に供給できるものであればよい。さらに、酸素供給部３としても、酸素ボンベや多孔質部材を用いることは必須ではなく、温水収容部１の内部に供給できればよい。
【００２７】
（実施形態の動作）
次に、本実施形態に係る新生児運搬具の使用方法を、図１〜図３を参照しながら説明する。
【００２８】
まず、温水収容部１の内部に、温水を収容しておく。ただし、常温の水を収容した後、加温により温水としても良い。また、加温部２では、発熱体２１により、温水収容部１の内部における温水を加温する。さらに、酸素供給部３では、多孔質部材３１から温水の内部に酸素を供給する。
【００２９】
ついで、従来の救急シートと同様に、本実施形態の運搬具の上面に、対象者（新生児）Ｐを載せる（図１参照）。このとき、好ましくは、酸素供給部３の多孔質部材３１で囲まれる位置に、対象者Ｐの頭部を配置する（図１参照）。
【００３０】
ついで、運搬具により対象者Ｐを包む。この状態で、運搬具全体を、収納具４の中に収納する（図３参照）。ここで、収納具４は、例えば、搬送用の取っ手が付いた「かご」である。この状態で、対象者Ｐを運搬することができる。もちろん、収納具４を用いず、対象者Ｐを抱きかかえることによって運搬しても良い。なお、図３では、加温部２の記載を省略している。また、図３では、対象者Ｐの側面における運搬具を、説明の便宜上、開放した状態（対象者Ｐが見える状態）としているが、実際の使用状態においては、通常は、対象者Ｐの側面も、運搬具により包まれる。
【００３１】
本実施形態の運搬具では、温水収容部１の上部シート１１から対象者Ｐに対して、気化した水蒸気を提供することができる。これにより、対象者の乾燥を防ぐことができる。また、対象者の乾燥を防ぐことで、その保温を図ることもできる。
【００３２】
さらに、対象者Ｐが乾燥した空気を吸うと、呼吸器官に悪影響を及ぼす可能性もある。しかしながら、本実施形態の運搬具によれば、対象者Ｐの吸気の湿度を高くできるので、その呼吸器官を保護することも可能となる。
【００３３】
また、本実施形態の運搬具では、温水収容部１に温水を収容している。温水は、常温の水よりも気化しやすいので、対象者Ｐに供給できる水分量を増加させることができ、乾燥を一層効果的に防止できるという利点がある。
【００３４】
さらに、本実施形態の運搬具では、温水収容部１に収容された温水を加温する加温部２を備えているので、温水収容部１の内部における温水の温度が低下することを防ぐことができる。これにより、対象者Ｐに対して水分をさらに確実に供給することができる。
【００３５】
また、本実施形態の運搬具では、対象者Ｐの体温を、温水の温度自体により維持することもできるという利点がある。
【００３６】
さらに、本実施形態の運搬具では、酸素供給部３により、温水収容部１の内部に酸素を供給しているので、この酸素が、上部シート１１を介して、対象者Ｐに供給される（図３参照）。これにより、対象者Ｐの呼吸を容易にすることができるという利点がある。
【００３７】
また、本実施形態の運搬具では、酸素供給部３により、温水収容部１の内部の温水に酸素を供給することができる。すると、温水中の気体が泡立つことになり、温水の気化が促進される。このため、本実施形態の運搬具では、対象者Ｐに対してより高い湿度を供給することができ、乾燥防止等の利点をさらに確実に得ることができる。
【００３８】
なお、前記実施形態の記載は単なる一例に過ぎず、本発明に必須の構成を示したものではない。各部の構成は、本発明の趣旨を達成できるものであれば、上記に限らない。
さらに、前記した機能要素（機能ブロック）どうしは、複合して一つの機能要素に集約されても良い。また、一つの機能要素の機能が複数の機能要素の協働により実現されても良い。さらに、前記した機能要素は、機能として存在していればよく、機能実現のための手段としては、ハードウエア、コンピュータソフトウエア、これらの組み合わせなどの、任意のものを用いることができる。一つの機能要素が、物理的に離散した位置に配置されたハードウエアやコンピュータソフトウエアの協働により実現されてもよい。
【００３９】
また、本実施形態における新生児とは、搬送時における乾燥や体温低下を防ぐ必要のある程度の体力を持つ乳児を言うものとする。
【００４０】
また、前記実施形態では、上部シート１１の全体を、本発明における透湿部とした。しかしながら、上部シート１１の一部のみを、微細孔を有する疎水性膜とすることにより、本発明における透湿部とすることもできる。
【００４１】
また、加温部２としては、発熱体やコントローラを用いるものに限られない。例えば、潜熱を利用して加温する潜熱マットを用いることもできる。要するに、加温部２としては、温水収容部１に収容された状態での温水を加温できればよい。
【図面の簡単な説明】
【００４２】
【図１】本発明の一実施形態に係る新生児運搬具に対象者を載せた状態における平面図である。
【図２】図１の運搬具をＡ−Ａ線方向において破断した状態での、概略的な、一部を省略した拡大断面図である。
【図３】図１の運搬具により対象者を包んだ状態での、概略的な断面図である。
【符号の説明】
【００４３】
Ｐ  対象者（新生児）
１  温水収容部
１１  上部シート
１１１  上部シートの周縁
１２  下部シート
１２１  下部シートの周縁
２  加温部
２１  発熱体
２２  コントローラ
３  酸素供給部
３１  多孔質部材
３２  酸素ボンベ
４  収納具
【図１】
0004806562.tif 000002
【図２】
0004806562.tif 000003
【図３】
0004806562.tif 000004